(57)【特許請求の範囲】
【請求項１】
本体部と、該本体部内にあってトイレットペーパを回転自在に保持する一対の回動保持部と、前記本体部に軸支して繰り出した前記トイレットペーパの紙片を切断する切断板とを備えたトイレットペーパホルダであって、
前記回動保持部は、前記本体部に対して回動可能な軸体部と、該軸体部から直角方向に延在しトイレットペーパの芯材内に挿入する芯材保持部と、前記軸体部から前記芯材保持部と同方向に延在し前記軸体部の回動に抗して前記本体部に対して、付勢力が発生するばね条片とを有し、
前記軸体部の下端に前記芯材保持部を設け、前記軸体部の上端に前記ばね条片を設けたことを特徴とするトイレットペーパホルダ。
【請求項２】
前記ばね条片の一部が前記本体部に設けた係止部に係止し、前記軸体部の回動に応じて前記ばね条片は撓み、該ばね条片の変形によって前記付勢力が発生することを特徴とする請求項１に記載のトイレットペーパホルダ。
【請求項３】
前記軸体部が鉛直方向又は水平方向に向くように前記回動保持部を前記本体部内に配置したことを特徴とする請求項１又は請求項２に記載のトイレットペーパホルダ。
【発明の詳細な説明】
【技術分野】
【０００１】
本発明は、トイレットペーパの交換を容易に行い得るトイレットペーパホルダに関するものである。
【背景技術】
【０００２】
特許文献１には従来例のトイレットペーパホルダが開示されている。このトイレットペーパホルダでは、本体の両側に配置した保持腕部にそれぞれ保持部材を取り付け、これらの保持部材をトイレットペーパの芯材内に挿入し、保持部材は鉛直方向に力が作用すれば上方へ回動し、力が解除されれば自動的に水平に戻るようにされている。
【０００３】
そして、このような機構として、特許文献１の図２においては、保持部材を水平状態になるように付勢する引っ張りバネを用い、図５においては弾発作用を有する弾性板を用いている。
【先行技術文献】
【特許文献】
【０００４】
【特許文献１】実開平７−３６８９２号公報
【発明の概要】
【発明が解決しようとする課題】
【０００５】
前述の特許文献１の図２におけるトイレットペーパホルダでは、金属製等の引っ張りバネを用いる必要があり、部品点数が増加しコスト高になるという問題がある。また、引っ張りバネが破損した場合には、破損した引っ張りバネを保持腕部から取り外し、交換しなければならないという煩わしさがある。
【０００６】
この従来例のトイレットペーパホルダでは、弾性板は常に曲げている状態になっているので、長期の使用により劣化し、弾性力が弱くなり易い。弾性力が弱まると保持部材の戻りが悪くなり、トイレットペーパの装着が困難になるという問題がある。
【０００７】
更に、このトイレットペーパホルダでは、引っ張りバネ、弾性板を保持腕部内に配置するために、保持腕部の厚みを薄くすることができず、全体として嵩張るという問題もある。
【０００８】
本発明の目的は、上述の課題を解消し、ばね部材の経年劣化がないトイレットペーパホルダを提供することにある。
【課題を解決するための手段】
【０００９】
上記目的を達成するための本発明に係るトイレットペーパホルダは、本体部と、該本体部内にあってトイレットペーパを回転自在に保持する一対の回動保持部と、前記本体部に軸支して繰り出した前記トイレットペーパの紙片を切断する切断板とを備えたトイレットペーパホルダであって、前記回動保持部は、前記本体部に対して回動可能な軸体部と、該軸体部から直角方向に延在しトイレットペーパの芯材内に挿入する芯材保持部と、前記軸体部から前記芯材保持部と同方向に延在し前記軸体部の回動に抗して前記本体部に対して、付勢力が発生するばね条片とを有し、前記軸体部の下端に前記芯材保持部を設け、前記軸体部の上端に前記ばね条片を設けたことを特徴とする。
【発明の効果】
【００１０】
本発明に係るトイレットペーパホルダは、トイレットペーパの交換が容易で、ばね部材の経年劣化がない。また、保持板部を薄くすることができ、全体を軽量化することが可能である。
【図面の簡単な説明】
【００１１】
【図１】トイレットペーパホルダの斜視図である。
【図２】下方から見たトイレットペーパホルダの斜視図である。
【図３】トイレットペーパを装着した状態のトイレットペーパホルダの斜視図である。
【図４】切断板の断面図である。
【図５】回動保持部の正面図である。
【図６】回動保持部の斜視図である。
【図７】ばね条片が規制部により復元ばね力を付与された状態の平面図である。
【発明を実施するための形態】
【００１２】
本発明を図示の実施例に基づいて詳細に説明する。
図１はトイレットペーパホルダの斜視図であり、図２はトイレットペーパホルダを下方から見た斜視図、図３はトイレットペーパを装着した状態の斜視図である。
【００１３】
合成樹脂材から成るトイレットペーパホルダ１０は、内部を空胴とした枠体から成る本体部２０と、この本体部２０内にあって、左右一対の回動保持部３０ａ、３０ｂと、引き出したトイレットペーパＰを切断するための切断板４０とを備えている。
【００１４】
本体部２０は左右両側に対向する一対の保持板部２１ａ、２１ｂを有し、本体部２０の上部には上面板２２が設けられ、本体部２０の後面は背面板２３により閉止されている。また、保持板部２１ａ、２１ｂのそれぞれの内側には回動保持部３０ａ、３０ｂを軸支する筒片部２４ａ、２４ｂ（２４ｂは図示せず）が設けられ、保持板部２１ａ、２１ｂの下方内側には、孔部を有する軸受部２５ａ、２５ｂ（２５ｂは図示せず）が突出されている。
【００１５】
上面板２２には、両側の筒片部２４ａ、２４ｂ上に配置した凹部から成るばね受部２６ａ、２６ｂが形成され、ばね受部２６ａ、２６ｂにばねを係止するための板体部に切欠部を設けた係止部２７ａ、２７ｂが設けられている。
【００１６】
また図４に示すように、上面板２２の裏面には切断板４０を係止するための爪部２８が下方に突出されている。また、図２において背面板２３の近傍の両保持板部２１ａ、２１ｂの内側には、切断板４０の軸部を軸支する軸受孔２９ａ、２９ｂ（２９ｂは図示せず）が設けられている。
【００１７】
図５はトイレットペーパＰの芯部を保持するための回動保持部３０ａ、３０ｂの正面図、図６は斜視図である。この回動保持部３０ａ、３０ｂは合成樹脂により一体成型されており、本体部２０の筒片部２４ａ、２４ｂに挿入される略円柱状の軸体部３１が設けられている。この軸体部３１の下端には、軸受部２５ａ、２５ｂの孔部に嵌合する下端軸部３２と、直交方向に延在する芯材保持部３３が設けられている。
【００１８】
また、軸体部３１の上端には、弾発性を有するばね条片３４が芯材保持部３３と同じ方向に向けて延在されており、このばね条片３４は上面板２２のばね受部２６ａ、２６ｂ内に収容される。
【００１９】
ばね条片３４の中間部は係止部２７ａ、２７ｂの切欠部を通過することにより係止されている。更に、軸体部３１の側面にあって、芯材保持部３３とばね条片３４の略中間位置には、回動保持部３０ａ、３０ｂの上昇を規制するための規制凸部３５が設けられている。
【００２０】
合成樹脂材から成る切断板４０は、図１〜図４に示すように繰り出されたトイレットペーパＰの紙片を切断するために設けられている。背面板２３側の端辺の両側には、本体部２０の軸受孔２９ａ、２９ｂに挿入する一対の軸部４１が設けられ、切断板４０の前方側の端辺は下方に湾曲され、端縁には鋸刃４２が形成されている。また、切断板４０の上面には、本体部２０の爪部２８に係合する係合部４３が設けられている。
【００２１】
切断板４０を本体部２０に対して取り付けるには、切断板４０の一対の軸部４１をそれぞれ軸受孔２９ａ、２９ｂに挿入することで、切断板４０が上下方向に回動可能となる。
【００２２】
次に、回動保持部３０ａ、３０ｂを本体部２０に対して取り付けるには、回動保持部３０ａ、３０ｂの軸体部３１をそれぞれ上端側から筒片部２４ａ、２４ｂ内に挿入し、軸部３２を軸受部２５ａ、２５ｂの取付孔部内に挿入する。また、回動保持部３０ａ、３０ｂのばね条片３４はばね受部２６ａ、２６ｂの係止部２７ａ、２７ｂに挿入する。係止部２７ａ、２７ｂは、一対の板状体からなり、この板状体の間にばね条片３４が配置されることになる。これにより、軸体部３１は固定され、回動が加えられると、回動に抗してばね条片３４に後述する水平方向に復元する付勢力が生ずる。
【００２３】
トイレットペーパＰをトイレットペーパホルダ１０に装着する際には、切断板４０を持ち上げて係合部４３を本体部２０の爪部２８に係合して切断板４０を上昇した状態にする。そして、トイレットペーパＰの円筒状の芯材を水平にして、芯材保持部３３を押し退けるようにして本体部２０内に押し込む。すると、芯材保持部３３は奥部方向に回動され、併せてばね条片３４も変形する。
【００２４】
このように、芯材保持部３３がトイレットペーパＰにより押されて回動すると、ばね受部２６ａ、２６ｂ内のばね条片３４の一部は、係止部２７ａ、２７ｂに係止されて図３の状態から図７の状態に変形する。このばね条片３４は、回動に応じて撓み、ばね条片３４の変形による付勢力が生じ、回動保持部３０ａ、３０ｂは、ばね条片３４が湾曲した状態から元の図３の状態に戻ろうとして直線状になるように復元力が働く。
【００２５】
芯材保持部３３が所定の角度だけ後方に回動してトイレットペーパＰの縁部から外れると、芯材保持部３３はばね条片３４の復元力により前方に回動して、トイレットペーパＰの芯材内に嵌入する。これにより、トイレットペーパＰを前後方向に移動させない限り、トイレットペーパＰはトイレットペーパホルダ１０から外れることなく、芯材保持部３３を中心に回転自在に保持される。
【００２６】
その後に、切断板４０の係合部４３による本体部２０への係合を外し、切断板４０をトイレットペーパＰ上に自重で載置して、トイレットペーパＰの紙片が動かないようにする、トイレットペーパＰが使用され続け、トイレットペーパＰの径が小さくなると、切断板４０はその径に追従して、常にトイレットペーパＰ上に位置する。
【００２７】
トイレットペーパＰの使用に際しては、トイレットペーパＰを芯材保持部３３を中心に回転させて、トイレットペーパＰの紙片をトイレットペーパＰの径に対する接線方向に繰り出して、必要な長さを切断板４０の鋸刃４２により切断すればよい。
【００２８】
特に、ばね条片３４は回動保持部３０ａ、３０ｂが回動する場合にのみばね力を発生させるので、通常の状態ではばねの経年劣化が生ずることはない。
【００２９】
また本実施例では、軸体部３１が鉛直方向が向くように回動保持部３０ａ、３０ｂを配置し、上面板２２が上端となる構造のトイレットペーパホルダ１０を説明した。しかし、保持板部２１ａ、２１ｂの水平方向に平行するように回動保持部３０ａ、３０ｂを配置して、背景技術で説明したトイレットペーパホルダと同じような構造にすることもできる。
【００３０】
このように保持板部２１ａ、２１ｂの水平方向に配置した場合では、上面板２２が壁等に接する壁面側に配置することになる。そして、トイレットペーパＰは上下方向に取り付け・取り外すことになり、芯材保持部３３も上下方向に回動することになる。
【００３１】
また、実施例においては、上面板２２の上部が露出するように図示しているが、実際にはこの上面板２２の上に覆い板を取り付けているので、ばね条片３４の湾曲時に上方側へ力が加わり、係止部２７ａ、２７ｂから外れてしまうことを防止している。同様に、保持板部２１ａ、２１ｂの水平方向に配置したトイレットペーパホルダも、壁面によってばね条片３４が係止部２７ａ、２７ｂから外れてしまうことを防止している。
【符号の説明】
【００３２】
１０  トイレットペーパホルダ
２０  本体部
２１  保持板部
２２  上面板
２３  背面板
２６  ばね受部
２７  係止部
３０  回動保持部
３１  軸体部
３２  軸部
３３  芯材保持部
３４  ばね条片
４０  切断板
４２  鋸刃
【図１】
0006585949.tif 000002
【図２】
0006585949.tif 000003
【図３】
0006585949.tif 000004
【図４】
0006585949.tif 000005
【図５】
0006585949.tif 000006
【図６】
0006585949.tif 000007
【図７】
0006585949.tif 000008